(57)【要約】【課題】  多くの内部開閉式の袖口を有する衣服で雨着と災害時のトイレ用遮視着となる衣服を提供する。【解決手段】長袖部と頭部フード部を省き、コンパクト化し多くの袖口を有し、天候と用途で袖口と袖口開閉の使用法を選び、衣服の内外で開閉出来る袖口蓋を設け、衣服内部  で両手が使え、遮視機能を有する事を特徴とした衣服。【選択図】図１
2016102289.tif 000002
【特許請求の範囲】
【請求項１】
長袖部分を省き、衣服本体側面の左右対称に複数の袖口と袖口蓋を設け、衣服内部より袖口蓋の開閉や袖通しが出来、衣服の内と外にそれぞれ引き手が有る内外ダブルファスナーを設け、ファスナーの移動域で移動する袖口を有する衣服であり、マグネットシート自動接着板の袖口蓋を有し、袖丈調整と転倒防止用の安全な切り込み口を設け、雨中に衣服内部で両手の作業が出来る内見窓を設け、その身体全体を包み込む機能と遮視能力と多くの袖口を有することを特徴とする衣服であり、雨着と災害時のトイレ用遮視着となる衣服の発明の名称。
【発明の詳細な説明】
【技術分野】
【０００１】本発明は雨着本体内部より開閉が出来る多くの袖口と上下に移動する袖口とマグネットシート自動接着板を有する衣服の雨具及び災害時のトイレ用遮視着に関するものである。
【背景技術】
【０００２】従来、長袖型や頭部フード部を有する一般的なかさ張るレインコートとポンチョが有るが多くの袖口を有し、衣服内部より袖の開閉や袖通しが出来る衣服と雨着は無く、マグネットシート自動接着蓋を利用した衣服も無く、災害時のトイレ用遮視着も無い。
【発明の概要】
【発明が解決しようとする課題】
【０００３】そのために次のような問題点があった。
（イ）長袖部分と頭部フード部がかさ張り使用後の収納が大変であった。
（ロ）元の大きさに収納が出来ず繰り返しの使用でシワだらけのビニールごみ状態となっていた。
（ハ）衣服内部より開閉出来る袖口蓋が無かった。
（ニ）雨具を着て雨中携帯電話を使用出来なかった。
（ホ）災害時のトイレが無い時、遮視着として使用出来る。
本発明は、これらの問題点を解決するためになされたものである。
【課題を解決するための手段】
【０００４】撥水加工された雨着の長袖部分を省き袖無し服のベスト形状で袖口のみを左右対称に複数設け、防水用の袖口蓋を設け、頭部フード部は付属品として取り付け式として、衣服内部の両手で作業が出来る内見窓を有し、衣服内外にそれぞれ引き手が有る内外ダブルファスナーと様々なファスナー機能を組み合わせた袖口とマグネットシート自動接着板の袖口蓋を設け、袖丈調整と転倒防止用の安全な切り込み口を有し、身体全体を遮視出来る。
【発明の効果】
【０００５】収納が超薄型となりクリアケースでもプレス収納が出来、雨中に衣服内部で袖口の開閉や携帯電話などの作業を両手で出来、襟元を立てると携帯電話の会話が出来、少雨時は肘袖口を使い自転車レインコートにもなり、本体内部に両手が収まり身体全体を遮視する特異性から災害時のトイレ用遮視着となる雨着であり、少雨時や傘を使えない強風時に威力を発揮する従来には無い全く新しいタイプの雨具である。
【図面の簡単な説明】
【０００６】
【図１】本発明の雨着ロングベストサイズのである。
【図２】本発明の雨着ロングコートサイズの実施例である
【図３】本発明の袖口が上下に移動する衣服の実施例である。
【図４】本発明のマグネットシート自動接着板の実施例である。
【図５】本発明の各ファスナー部を通常型ファスナーにした実施例である。
【図６】本発明の図１の使用法の説明図である。
【図７】本発明の衣服とした実施
【発明を実施するための形態】
【０００７】以下、本発明の実施形態について説明する。
（イ）雨具本体１中央の襟口から前身頃中央でみぞおち下部の位置まで、下へ向うと開く下止で雨着の内と外にそれぞれ引き手を有する内外ダブルファスナーの襟口２を設け、雨着本体１の肩幅は左右の肩が前後に楽に動くゆとりを有するサイズであり雨着本体１の着丈と形状はロングベストとなる。
（ロ）雨着本体１側面の左右対称の肩部に上へ向うと開く上止の内外に引き手を有する内外ダブルファスナーの肩袖口３を設ける。
（ハ）雨着本体１側面の肘があばら骨に当たる位置から前身頃中央の臍に向けて傾斜して上止で開く前記の内外ダブルファスナー有する肘袖口４を設けこの傾斜により肘部から身体前方への作業域を広げ、肩袖口３から出た腕を肘袖口４に入れ易くして、雨着本体１内部で両腕を左右に交叉して肘袖口４の袖口蓋である内外ダブルファスナーの開閉を容易にするものである。
（ニ）雨着本体１側面の着丈最下部で肘丈位置の左右対称にサイドベンツ形状の手首口７を設け、手首から先が出て手首口７より上部へ８センチ以上１２センチ位以下の切り込み口１０を設け袖丈が調整できるフリーサイズとなり転倒防止用に手が直ぐに露出し薄型軽量の雨着本体１の前身頃が持ち上がる安全仕様である。
（ホ）別部品として頭部フード５を設け、雨量と用途により重複の縫製で強化された襟部のジャンパーホック８で固定する。
（ヘ）雨着本体１の後身頃の背中部に内ポケット９を設け、保冷剤、保温剤、消臭剤入れや未使用時の頭部フード部５を入れるのに使用する。
（ト）雨着本体１に反射シート１１を設け、夜間も車灯で反射させる。
（チ）雨着本体１の前身頃の中央下部の表面上に雨具本体１の内部が覗ける透明部の内見窓６を設け、その下面部に雨具本体１と同じ生地の当て生地を設け、当て生地は上部が縫製固定され下部が面ファスナーで固定と解放を選び、左右側面部は開いていて、その当て生地内部にて携帯電話などの道具を入れ、内見窓６を覗き込みながら雨着本体１の内部で作業が出来、未使用時は当て生地が透明部を遮視する。
（リ）別の実施例として図２は着丈をロングコートサイズにした実施例である。
（ヌ）また、別の実施例として図３は雨着本体１の左右側面から袖口３と袖口４を省き、前記の省かれた袖口３を有した最上部に図３肩袖口上止３を設け、前記の省かれた袖口４の最下部に図３肘袖口下止４を設けた引き手２個有する顔合わせ型ファスナーの袖口を設け、互いに向かい合う引き手を広げた部分が袖口となり、図３の肩袖口上止３から図３の肘袖口下止４の位置まで上下の移動域を有する袖口の衣服の実施例であり、図３の襟口２は内外にそれぞれ引き手を有する下止の内外ダブルファスナーであり、図３の切り込み１０は通常型上止ファスナーと様々なファスナーを有するものである。
（ル）また、別の実施例として図４は雨着本体１側面の肘とあばら骨が当たる所から真横の前身頃中央の位置にマグネットシートを有する袖口上蓋と強磁性体の非錆金属を有する袖口下蓋の肘袖口４を設け、前記のマグネットシートは磁石面を表面として裏面が袖口４の袖口上蓋裏面に強力両面テープや強力接着剤で固定され、前記の強磁性体金属の裏面は袖口４の下蓋に位置する上蓋の受け部に同じく強力両面テープや強力接着剤で固定され、この肘袖口４は前記の上蓋に強磁性体金属、前記の下蓋の受け部にマグネットシートと逆の設定でも可能であり、上蓋の自重落下と磁力により自動接着し表面が平らで凸凹面が全く無く衣服を傷めず錆びない完全平面の自動接着板である。
（ヲ）図５は襟口２と袖口３と袖口４を雨着本体１の外側だけに引き手がある通常タイプの図５に示す上止で開くファスナーと下止で開くファスナーを設けた実施例であり、雨着本体１の素材が超薄型軽量のため雨着本体１の前身頃をめくり上げて両手でファスナーの調整が出来るものである。
（ワ）図６は本発明の使用法を図解で説明したものである。
（カ）別の実施例として図７は雨着以外の多くの袖口を有する機能的な衣服である。
本発明は以上のような構成である。
本発明を使用する時は襟口２より頭部をシャツのように被り前記の内外ダブルファスナーで調整し肩袖口３、肘袖口４、手首口７と頭部フード５を天候と用途で使用法を選び、切り込み口１０は瞬時に手が露出する安全仕様であり、ファスナー素材は樹脂や非錆金属であり、雨着本体の素材は撥水加工されたナイ口ン系化学繊維で超薄型軽量のために理髪店のナイロン製エプロンのようにめくり上げての使用は衣服内部より自由に両手が動くために顔や頭部に触れて頭部フード部５や各袖口ファスナー調整が簡単に出来、雨着本体１内部より袖口開閉や内見窓を使い雨中両手で作業が出来、図３の袖口部移動型は使用用途により袖口を選べ、図４のマグネットシート自動接着板の実施はさらに袖口開閉が瞬時に出来、雨着本体１の遮視能力により災害時はトイレ用遮視着となる衣服の雨着である。
【符号の説明】
【０００９】  １雨着本体
２襟口
３肩袖口
４肘袖口
５頭部フード
６内見窓
７手首口
８ジャンパーホック
９内部ポケット
１０切り込み口
１１反射シート
１２サイドベンツ
【図１】
2016102289.tif 000003
【図２】
2016102289.tif 000004
【図３】
2016102289.tif 000005
【図４】
2016102289.tif 000006
【図５】
2016102289.tif 000007
【図６】
2016102289.tif 000008
【図７】
2016102289.tif 000009